(57)【要約】【課題】  より広い範囲に霧を飛散させることが可能な加湿器を提供すること。【解決手段】  水タンク２１を有する給水部２と、給水部２から供給された水を霧化する霧化部３と、霧化部３で発生した霧を放出させる吹出口５１、及び、霧化部３から吹出口５１に霧を誘導する誘導部５２を有する導出部５と、吹出口５１に接近して設けた送風口４１を具備し当該送風口４１から気流を発生させる送風部４と、を備え、送風部４は、左右首振り自在である。【選択図】  図１２
2019190817.tif 000002
【特許請求の範囲】
【請求項１】
水タンクを有する給水部と、
前記給水部から供給された水を霧化する霧化部と、
前記霧化部で発生した霧を放出させる吹出口、及び、前記霧化部から前記吹出口に前記霧を誘導する誘導部を有する導出部と、
前記吹出口に接近して設けた送風口を具備し当該送風口から気流を発生させる送風部と、を備え、
前記送風部は、左右首振り自在であることを特徴とする加湿器。
【請求項２】
前記導出部の前記吹出口から前記送風部に向けて霧が放出され、
前記吹出口の霧放出方向が、前記送風部の左右首振りに対応して左右に追従するように構成されている、請求項１に記載の加湿器。
【請求項３】
前記送風部は、前記送風口に複数のフィンが渦巻き状に設けられたグリルを有している、請求項１又は２に記載の加湿器。
【請求項４】
前記グリルは、内端部が外端部より送風方向に突出している、請求項３に記載の加湿器。
【請求項５】
前記給水部と、前記霧化部と、前記導出部と、前記送風部とを、支持する加湿器筐体をさらに備え、
前記加湿器筐体の上面には凹窪部が設けられ、該凹窪部内に前記送風部の前記送風口が設けられている、請求項１ないし４の何れか１項に記載の加湿器。
【請求項６】
前記導出部は、その上端部が上方突出状に設けられ、前記送風部の前記送風口に隣接している、請求項５に記載の加湿器。
【請求項７】
前記加湿器筐体は、上面が前方下傾状に形成され、
前記送風部は、上下首振り自在に構成されている、請求項５又は６に記載の加湿器。
【請求項８】
前記給水部の前記水タンクは、前記加湿器筐体と連続な外面をなしている、請求項５ないし７の何れか１項に記載の加湿器。
【発明の詳細な説明】
【技術分野】
【０００１】
本発明は、加湿器に関する。
【背景技術】
【０００２】
超音波振動子を用いた霧化部と、サーキュレータからなる送風部と、を備えた加湿器が提案されている。特許文献１には、従来の加湿器の一例が開示されている。同文献に開示された加湿器では、霧化部で発生した霧を、送風部の風に乗せて飛散させる。
【先行技術文献】
【特許文献】
【０００３】
【特許文献１】特開２０１３−２４２０７１号公報
【発明の概要】
【発明が解決しようとする課題】
【０００４】
上記の加湿器においては、送風部のファン軸が鉛直方向に固定されている。サーキュレータからなる送風部は、送風の指向性が強い。このため、加湿器の鉛直方向直上に霧が向かうこととなる。したがって、加湿器から離れた場所に霧を飛散させることが困難であった。また、加湿器を室内の中央に配置すれば、室内により均一に霧を飛散させることには好ましいが、室内の移動等が阻害されるという問題がある。
【０００５】
本発明は、上記した事情のもとで考え出されたものであって、より広い範囲に霧を飛散させることが可能な加湿器を提供することをその課題とする。
【課題を解決するための手段】
【０００６】
本発明によって提供される加湿器は、水タンクを有する給水部と、前記給水部から供給された水を霧化する霧化部と、前記霧化部で発生した霧を放出させる吹出口、及び、前記霧化部から前記吹出口に前記霧を誘導する誘導部を有する導出部と、前記吹出口に接近して設けた送風口を具備し当該送風口から気流を発生させる送風部と、を備え、前記送風部は、左右首振り自在であることを特徴としている。
【０００７】
本発明の好ましい実施の形態においては、前記導出部の前記吹出口から前記送風部に向けて霧が放出され、前記吹出口の霧放出方向が、前記送風部の左右首振りに対応して左右に追従するように構成されている。
【０００８】
本発明の好ましい実施の形態においては、前記送風部は、前記送風口に複数のフィンが渦巻き状に設けられたグリルを有している。
【０００９】
本発明の好ましい実施の形態においては、前記グリルは、内端部が外端部より送風方向に突出している。
【００１０】
本発明の好ましい実施の形態においては、前記給水部と、前記霧化部と、前記導出部と、前記送風部とを、支持する加湿器筐体をさらに備え、前記加湿器筐体の上面には凹窪部が設けられ、該凹窪部内に前記送風部の前記送風口が設けられている。
【００１１】
本発明の好ましい実施の形態においては、前記導出部は、その上端部が上方突出状に設けられ、前記送風部の前記送風口に隣接している。
【００１２】
本発明の好ましい実施の形態においては、前記加湿器筐体は、上面が前方下傾状に形成され、前記送風部は、上下首振り自在に構成されている。
【００１３】
本発明の好ましい実施の形態においては、前記給水部の前記水タンクは、前記加湿器筐体と連続な外面をなしている。
【００１４】
本発明の好ましい実施の形態においては、前記給水部から前記霧化部に供給される水を回収する排水手段を備えている。
【００１５】
本発明の好ましい実施の形態においては、前記水タンクには、タンクキャップが取着され、前記排水手段は、排水容器と、前記タンクキャップを開状態として水を落下させる給水用凸部と、を有する。
【００１６】
本発明の好ましい実施の形態においては、前記排水手段は、上方に持ち上げることで前記排水容器に前記水を回収する排水位置に移動可能に構成され、前記排水位置に前記排水手段を位置決めする排水位置決め手段を備えている。
【００１７】
本発明の好ましい実施の形態においては、前記排水手段は、前記排水位置で前記排水容器に水を回収するための第１排水口と、該排水容器に回収した水を排出させ、かつ、外部から前記排水容器に水を注入可能な第２排水口とを、有している。
【００１８】
本発明の好ましい実施の形態においては、前記排水手段は、パッキンを有し、前記水タンクが前記排水手段に上方から荷重をかけることにより、パッキンが密閉状態をとるように構成されている。
【００１９】
本発明の好ましい実施の形態においては、前記霧化部は、着脱自在のカップを有している。
【００２０】
本発明の好ましい実施の形態においては、前記加湿器筐体は、前記送風部を内有する有底筒状の受け部材を備え、前記受け部材の底部には、水抜き孔が設けられている。
【００２１】
本発明の好ましい実施の形態においては、前記加湿器筐体は、周辺の雰囲気の湿度を検知する湿度センサーと、検知した湿度を数値で表示する湿度表示部と、を備えている。
【００２２】
本発明の好ましい実施の形態においては、前記加湿器筐体は、周辺の雰囲気の温度及び湿度を検知する温湿度センサーと、検知した温度及び湿度に基づいて周辺環境の状態を表示する温湿度状態表示部と、を備え、該温湿度状態表示部は、周辺環境の状態に対応して複数の色彩に発光する面発光部を有している。
【００２３】
本発明の好ましい実施の形態においては、前記排水手段は、前記排水容器に取り付けられる蓋部を備えており、前記蓋部は、前記給水用凸部が設けられた給水槽、当該給水槽に繋がる給水路及び当該給水路に繋がる給水ノズルを有する蓋部を含む。
【００２４】
本発明の好ましい実施の形態においては、前記排水手段は、前記給水部と前記蓋部との間に介在する上蓋部を備えており、上蓋部は、前記給水ノズルの直上に位置し且つ前記給水部及び前記蓋部と当接する延出部を有する。
【００２５】
本発明の好ましい実施の形態においては、前記延出部は、前記給水部側及び前記蓋部側の少なくともいずれかに突出するリブを有する。
【００２６】
本発明の好ましい実施の形態においては、前記霧化部に水を導くための給水路の一部を構成する内部構造部をさらに備え、前記排水容器は、上端部から延出する排水ガイドを有しており、前記内部構造部は、前記排水ガイドと上面が互いに略面一となる状態で前記排水ガイドを受けるガイド受け部を有する。
【００２７】
本発明の好ましい実施の形態においては、前記内部構造部は、前記排水ガイドに隣接する位置に、側方突出状のリブを有する。
【００２８】
本発明の好ましい実施の形態においては、前記排水容器は、上端縁部から側方へ膨出する注出部を有する。
【発明の効果】
【００２９】
本発明によれば、より広い範囲に霧を飛散させることができる。
【００３０】
本発明のその他の特徴及び利点は、添付図面を参照して以下に行う詳細な説明によって、より明らかとなろう。
【図面の簡単な説明】
【００３１】
【図１】本発明の第１実施形態に係る加湿器を示す斜視図である。
【図２】本発明の第１実施形態に係る加湿器を示す正面図である。
【図３】本発明の第１実施形態に係る加湿器を示す平面図である。
【図４】本発明の第１実施形態に係る加湿器を示す底面図である。
【図５】本発明の第１実施形態に係る加湿器を示す左側面図である。
【図６】本発明の第１実施形態に係る加湿器を示す右側面図である。
【図７】本発明の第１実施形態に係る加湿器を示す背面図である。
【図８】本発明の第１実施形態に係る加湿器を示す要部斜視図である。
【図９】図３のＩＸ−ＩＸ線に沿う断面図である。
【図１０】図３のＸ−Ｘ線に沿う断面図である。
【図１１】本発明の第１実施形態に係る加湿器を示す分解斜視図である。
【図１２】本発明の第１実施形態に係る加湿器を示す斜視図である。
【図１３】本発明の第１実施形態に係る加湿器の送風部を示す側面図である。
【図１４】本発明の第１実施形態に係る加湿器の送風部を示す平面図である。
【図１５】本発明の第１実施形態に係る加湿器の送風部を示す底面図である。
【図１６】本発明の第１実施形態に係る加湿器の送風部のグリルを示す（ａ）は斜視図であり、（ｂ）は平面図であり、（ｃ）は正面図である。
【図１７】本発明の第１実施形態に係る加湿器を示す要部斜視図である。
【図１８】本発明の第１実施形態に係る加湿器の導出部を示す斜視図である。
【図１９】本発明の第１実施形態に係る加湿器の送風部及び導出部を示す側面図である。
【図２０】図１９のＸＸ−ＸＸ線に沿う要部拡大断面図である。
【図２１】本発明の第１実施形態に係る加湿器を示す分解斜視図である。
【図２２】本発明の第１実施形態に係る加湿器の給水部を示す分解斜視図である。
【図２３】図２２のＸＸＩＩＩ−ＸＸＩＩＩ線に沿う要部拡大断面図であり、（ａ）は閉状態を示し、（ｂ）は開状態を示す。
【図２４】本発明の第１実施形態に係る加湿器を示す要部斜視図である。
【図２５】本発明の第１実施形態に係る加湿器を示す要部平面図である。
【図２６】本発明の第１実施形態に係る加湿器の排水手段を示す斜視図である。
【図２７】本発明の第１実施形態に係る加湿器の排水手段を示す平面図である。
【図２８】本発明の第１実施形態に係る加湿器の排水手段を示す側面図である。
【図２９】図２８のＸＸＩＸ−ＸＸＩＸ線に沿う断面図である。
【図３０】本発明の第１実施形態に係る加湿器の排水手段を示す要部断面斜視図である。
【図３１】図３０のＸＸＸＩ−ＸＸＸＩ線に沿う要部断面図及び要部拡大断面図である。
【図３２】本発明の第１実施形態に係る加湿器の排水手段を示す要部断面側面図である。
【図３３】図３２のＸＸＸＩＩＩ−ＸＸＸＩＩＩ線に沿う要部断面図及び要部拡大断面図である。
【図３４】本発明の第１実施形態に係る加湿器を示す要部分解斜視図である。
【図３５】本発明の第１実施形態に係る加湿器の受け部材を示す斜視図である。
【図３６】本発明の第１実施形態に係る加湿器を示す断面図である。
【図３７】本発明の第１実施形態に係る加湿器を示す要部断面斜視図である。
【図３８】図３７のＸＸＸＶＩＩＩ−ＸＸＸＶＩＩＩ線に沿う要部断面図である。
【図３９】（ａ）〜（ｃ）は、本発明の第１実施形態に係る加湿器の温湿度状態表示部を示す正面図である。
【図４０】（ａ）は本発明の第２実施形態に係る加湿器を示す要部断面図であり、（ｂ），（ｃ）は、要部拡大断面図である。
【図４１】本発明の第３実施形態に係る加湿器の導出部を示す斜視図である。
【図４２】本発明の第４実施形態に係る加湿器を示す分解斜視図である。
【図４３】本発明の第４実施形態に係る加湿器の排水手段を示す分解斜視図である。
【図４４】本発明の第４実施形態に係る加湿器の排水手段を示す斜視図である。
【図４５】本発明の第４実施形態に係る加湿器の蓋部を示す斜視図である。
【図４６】本発明の第４実施形態に係る加湿器の上蓋部を示す斜視図である。
【図４７】本発明の第４実施形態に係る加湿器の通常使用状態の排水手段を示す要部平面図である。
【図４８】図４７のＸＬＶＩＩＩ−ＸＬＶＩＩＩ線に沿う要部拡大断面図である。
【図４９】図４７のＸＬＩＸ−ＸＬＩＸ線に沿う要部拡大断面図である。
【図５０】本発明の第４実施形態に係る加湿器の排水状態の排水手段を示す、（ａ）は要部平面図であり、（ｂ）は要部拡大平面図である。
【図５１】図５０（ｂ）のＬI−ＬI線に沿う断面図である。
【発明を実施するための形態】
【００３２】
以下、本発明の好ましい実施の形態につき、図面を参照して具体的に説明する。
【００３３】
図１〜図１２は、本発明の第１実施形態に係る加湿器を示している。本実施形態の加湿器Ａ１は、加湿器筐体１、給水部２、霧化部３、送風部４、導出部５、排水手段６、温湿度状態表示部７、全体制御部８１、操作制御部８３、電源部８５及び操作部９１を備えている。
【００３４】
図１は、加湿器Ａ１を示す斜視図である。図２は、加湿器Ａ１を示す正面図である。図３は、加湿器Ａ１を示す平面図である。図４は、加湿器Ａ１を示す底面図である。図５は、加湿器Ａ１を示す左側面図である。図６は、加湿器Ａ１を示す右側面図である。図７は、加湿器Ａ１を示す背面図である。図８は、加湿器Ａ１を示す要部斜視図である。図９は、図３のＩＸ−ＩＸ線に沿う断面図である。図１０は、図３のＸ−Ｘ線に沿う断面図である。図１１は、加湿器Ａ１を示す分解斜視図である。図１２は、加湿器Ａ１を示す斜視図である。これらの図において、ｚ方向の一方側を「上」、他方側を「下」と称する場合がある。また、ｘ方向の一方側を「右」、他方側を「左」と称する場合がある。また、ｙ方向の一方側を「前」、他方側を「後」と称する場合がある。また、図１３〜図３９は、加湿器Ａ１の各部を説明するための図であり、説明において適宜参照する。
【００３５】
＜加湿器筐体１＞
加湿器筐体１は、霧化部３及び送風部４等を収容しており、加湿器Ａ１の外観の大部分をなしている。加湿器筐体１は、例えばＡＢＳ樹脂等の樹脂材料からなるが、その材質は特に限定されない。また、加湿器筐体１は、全体が一体的に形成されていてもよいし、複数の別体の部位によって形成されていてもよい。加湿器Ａ１の製造や使用の便宜から、加湿器筐体１は、複数の別体の部位によって形成されていることが好ましい。
【００３６】
本実施形態の加湿器筐体１は、ｚ方向に起立した姿勢で設置可能な形状であり、ｚ方向視において楕円形状又は四隅がラウンド形状とされた矩形状である。加湿器筐体１は、上面１０１、底面１０２、前面１０３、背面１０４、側面１０５、側面１０６及び凹窪部１０８を有する。
【００３７】
底面１０２は、図２及び図４に示すように、ｚ方向下側を向く面であり、加湿器Ａ１を床面等に載置する際に、床面等に当接させる面であり、ｚ方向に対して直角である。前面１０３は、図２、図３、図５及び図６に示すように、ｙ方向前側を向く面であり、ｚ方向に対して略平行である。また、前面１０３は、ｚ方向においてｙ方向前側に若干膨出する緩やかな曲面である。図３、図５、図６及び図７に示すように、背面１０４は、ｙ方向後ろ側を向く面であり、ｚ方向対して略平行である。また、背面１０４は、ｚ方向においてｙ方向後側に若干膨出する緩やかな曲面である。背面１０４には、吸気口１０４１が形成されている。背面１０４は、複数の貫通孔によって構成されており、送風部４に向けて外気を吸気するための部位である。
【００３８】
上面１０１は、図２、図５及び図６に示すように、ｚ方向上側に位置する面であり、図示された例においては、略平坦な面である。上面１０１は、ｙ方向後端よりもｙ方向前端が底面１０２側に位置するように、前方下傾状に形成されている。上面１０１がｘｙ平面（底面１０２）となす角度は、例えば１０度〜１５度であり、図示された例においては、１１度程度である。
【００３９】
凹窪部１０８は、図１〜図３、図９及び図１０に示すように、上面１０１からｚ方向下方に凹んでいる。凹窪部１０８は、ｚ方向視において略中央に略円形状の開口を有する。
【００４０】
側面１０５は、図２、図３、図４及び図５に示すように、ｙ方向正面視においてｘ方向左側に位置する面であり、ｚ方向に対して略平行である。側面１０５は、上面１０１と底面１０２とに略到達しており、加湿器筐体１のｚ方向全長にわたって設けられている。また、側面１０５は、ｚ方向においてｘ方向左側に若干膨出する緩やかな曲面である。
【００４１】
側面１０６は、図２、図３、図４及び図６に示すように、ｙ方向正面視においてｘ方向右側に位置する面であり、ｚ方向に対して略平行である。側面１０６は、底面１０２に到達し、上面１０１から離間しており、加湿器筐体１のｚ方向下側のみに設けられている。また、側面１０６は、ｚ方向においてｘ方向右側に若干膨出する緩やかな曲面である。
【００４２】
また、本実施形態の加湿器筐体１は、図８に示すように、内部構造部１１、底部構造部１２及び受け部材１３を有する。内部構造部１１、底部構造部１２及び受け部材１３は、加湿器筐体１を構成する複数の部位の例示である。
【００４３】
内部構造部１１は、ｚ方向において上面１０１と底面１０２との間に位置しており、給水部２による給水機能、霧化部３による霧発生機能、排水手段６による排水機能を実現するための筐体をなしており、また導出部５を支持している。
【００４４】
内部構造部１１は、図８〜図１１、図１７、図２４、図２５、図３６、図３７及び図３８に示すように、中板部１１１、給水槽１１２、排水槽１１３、給水路１１４、給水パイプ１１５、環状突条１１６、係止爪１１７、トラップ流路下側部１１８、挿通孔１１９及び複数の排水孔１１９１を有する。また、図示された例においては、内部構造部１１は、後述するように霧化部３を構成するための部位を有している。図１７は、加湿器Ａ１の要部分解斜視図であり、主に、内部構造部１１と導出部５との配置等を説明するために参照する。図２４は、加湿器Ａ１の要部斜視図であり、図２５は、加湿器Ａ１の要部平面図であり、おもに給水経路を説明するために参照する。図３６は、加湿器Ａ１を示す断面図であり、図３７は、加湿器Ａ１の要部断面斜視図であり、図３８は、要部断面側面図である。図３６、図３７及び図３８は、通気させるための機構及び水滴等を機外に排出する機構について説明するために参照する。
【００４５】
中板部１１１は、図８及び図９に示された例においては、加湿器筐体１の上面１０１と底面１０２との間のｚ方向中心よりも若干下方に位置している。中板部１１１は、ｚ方向に対して略直角な平板状の部位である。
【００４６】
給水槽１１２は、図１７に示すように、中板部１１１からｚ方向下方に凹んでおり、ｙ方向前側に位置している。給水槽１１２は、給水部２から水を給水される槽である。図示された例においては、給水槽１１２は、ｚ方向視において円形状である。給水部２による給水については、後述する。
【００４７】
排水槽１１３は、図９、図２４及び図３０に示すように、中板部１１１からｚ方向下方に凹んでおり、ｙ方向後側に位置している。排水槽１１３は、排水手段６を収容している。図示された例においては、排水槽１１３は、ｚ方向視において、ｘ方向に平行な辺、ｙ方向に平行な辺及びこれらの辺の一端同士を繋ぐ曲線からなる形状である。本実施形態の排水槽１１３は、排水手段受け部１１３１及び排水凹部１１３２を有する。
【００４８】
排水手段受け部１１３１は、排水槽１１３の一部が内方に向けて突出するように段差が設けられた部位である。排水手段受け部１１３１は、ｚ方向に直角に延びる部分と、ｚ方向下方に凹んだ部分とを有する。
【００４９】
排水凹部１１３２は、排水槽１１３の一部が、ｚ方向上端からｚ方向下方に向けて凹むように切り欠かれた形状の凹部である。排水凹部１１３２は、排水手段受け部１１３１のうちｚ方向下方に凹んだ部分に対応した位置に設けられており、ｘ方向視においてｚ方向に長く延びる矩形状である。
【００５０】
給水路１１４は、給水槽１１２に給水された水を霧化部３へと導くための経路の一部をなしている。給水路１１４は、排水槽１１３に収容された排水手段６に隣接しており、給水パイプ１１５へと延びる経路である。
【００５１】
給水パイプ１１５は、給水路１１４によって導かれた水を霧化部３へと導くための経路をなしている。図示された例においては、給水パイプ１１５は、給水路１１４から、ｚ方向下方に延びる部分、ｙ方向に延びる部分、ｘ方向に延びる部分、及び霧化部３に向けてｚ方向に延びる部分、を有する。なお、本実施形態においては、給水パイプ１１５に、ヒータ３９が取り付けられている。ヒータ３９は、給水部２から霧化部３に供給される水を給水パイプ１１５において加熱することにより、水に雑菌が繁殖するのを抑制するためのものである。
【００５２】
環状突条１１６は、図１７に示すように、中板部１１１からｚ方向上側に突出する部位であり、ｚ方向視において環状をなしている。図２５に示すように、環状突条１１６は、ｚ方向視において後述の霧化槽３２及び供給口３１３を囲んでいる。環状突条１１６の平面視形状は、導出部５のｚ方向下端の平面視形状と略一致している。
【００５３】
係止爪１１７は、環状突条１１６の一部からｚ方向に突出しており、ｚ方向視において環状突条１１６の内方に突出する部位を有している。係止爪１１７は、導出部５の一部と係止するためのものである。
【００５４】
トラップ流路下側部１１８は、図３６に示すように、受け部材１３の後述のトラップ流路上側部１３３２とともに、底部構造部１２の電源部収容部１２２と中板部１１１のｚ方向上側の空間とを通じさせるための通気経路を構成するための部位である。トラップ流路下側部１１８は、中板部１１１をｚ方向に貫通する部分と、当該貫通部分に隣接して中板部１１１のｚ方向上側においてｚ方向下方に凹む凹んだ部分と、を有している。図２５に示すように、トラップ流路下側部１１８は、中板部１１１のｘ方向左側であってｙ方向後側に配置されている。
【００５５】
挿通孔１１９は、図２５及び図３６に示すように、中板部１１１をｚ方向に貫通する孔である。挿通孔１１９は、トラップ流路下側部１１８のｘ方向左側に隣接して配置されている。
【００５６】
複数の排水孔１１９１は、図２５及び図３８に示すように、中板部１１１をｚ方向に貫通する孔であり、図示された例においては、中板部１１１のｙ方向前側に２つの排水孔１１９１が設けられている。複数の排水孔１１９１は、中板部１１１に意図せずに滞留しうる水を、中板部１１１のｚ方向下側の空間に落下させるためのものである。
【００５７】
底部構造部１２は、内部構造部１１のｚ方向下方に設けられている。底部構造部１２は、全体制御部収容部１２１及び電源部収容部１２２を有する。
【００５８】
全体制御部収容部１２１は、全体制御部８１を収容する部位である。全体制御部収容部１２１は、全体制御部８１を少なくともｚ方向上側、ｙ方向両側及びｘ方向両側から覆っており、これらの方向から全体制御部８１に水が進入することを防止する。本実施形態においては、全体制御部収容部１２１は、ｚ方向視において矩形状であり、ｚ方向寸法が短い扁平な形状である。
【００５９】
電源部収容部１２２は、電源部８５を収容する部位である。電源部収容部１２２は、電源部８５を少なくともｙ方向両側及びｘ方向両側から覆っており、これらの方向から電源部８５に水が進入することを防止する。本実施形態においては、電源部収容部１２２は、ｙ方向視において矩形状であり、ｙ方向寸法が短く、ｚ方向寸法が長い扁平な形状である。電源部収容部１２２は、ｚ方向に起立した姿勢で設けられている。また、本実施形態においては、全体制御部収容部１２１と電源部収容部１２２とは、互いに繋がっている。
【００６０】
受け部材１３は、図８〜図１１及び図３６に示すように、内部構造部１１の中板部１１１と上面１０１との間に設けられている。受け部材１３は、送風部収容部１３１及び操作制御部収容部１３４を有する。
【００６１】
送風部収容部１３１は、送風部４の大部分を収容する部位である。送風部収容部１３１は、側部１３２及び底部１３３を有する。側部１３２は、ｚ方向視において送風部４を囲んでおり、ｚ方向高さが、送風部４よりも低い。底部１３３は、側部１３２のｚ方向下方を塞いでおり、送風部４を支持する部位である。
【００６２】
底部１３３は、水抜き孔１３３１及びトラップ流路上側部１３３２を有する。
【００６３】
水抜き孔１３３１は、底部１３３の一部がｚ方向下方に向けて円筒形状に延出した部位である。図３６に示すように、水抜き孔１３３１は、内部構造部１１の挿通孔１１９に挿通されている。水抜き孔１３３１は、送風部収容部１３１の内部空間と内部構造部１１及び底部構造部１２の間の空間とを通じさせている。
【００６４】
トラップ流路上側部１３３２は、図３６に示すように、内部構造部１１のトラップ流路下側部１１８とともに、底部構造部１２の電源部収容部１２２と中板部１１１のｚ方向上側の空間である送風部収容部１３１の内部空間とを通じさせるための通気経路を構成するための部位である。トラップ流路上側部１３３２は、底部１３３をｚ方向に貫通する部分と、当該貫通部分に隣接して底部１３３のｚ方向下側においてｚ方向上方に凹む凹んだ部分と、を有している。トラップ流路上側部１３３２とトラップ流路下側部１１８とが組み合わされることにより、２つのＵ字通路が連結された屈曲状の通路が構成されている。
【００６５】
操作制御部収容部１３４は、送風部収容部１３１の上側部分に連結されており、送風部収容部１３１のｘ方向右側に位置している。操作制御部収容部１３４は、操作部９１を収容している。図示された例においては、操作制御部収容部１３４は、ｙ方向両側に長く延びており、操作部９１をｘ方向両側、ｙ方向両側及びｚ方向下側から覆っている。
【００６６】
＜給水部２＞
給水部２は、霧化部３において霧を発生させるための水を供給するためのものである。給水部２の材質は特に限定されず、例えば樹脂からなる。給水部２は、図１〜図３、図６、図７、図９、図２１、図２２及び図２３に示すように、水タンク２１、タンクキャップ２２及び天蓋部２３を有する。本実施形態においては、水タンク２１は、加湿器筐体１に脱着自在であり、加湿器筐体１のｘ方向右側にｚ方向上方から取り付けられる。
【００６７】
水タンク２１は、供給すべき水を貯めるためのものである。水タンク２１は、外面２１１、底部２１２、給排水口２１３及び嵌合突条２１４を有する。
【００６８】
外面２１１は、水タンク２１のｘ方向右側及びｙ方向両側の外観に表れる外面である。図２、図３、図６及び図７に示すように、給水部２が加湿器筐体１に取り付けられた状態において、前面１０３の一部、背面１０４の一部及び側面１０６と、面一な外面を構成している。すなわち、外面２１１は、ｚ方向に対して略平行であり、ｚ方向視において前面１０３の一部、背面１０４の一部及び側面１０６と一致する形状である。
【００６９】
底部２１２は、図２２に示すように、外面２１１のｚ方向下側に繋がっており、ｚ方向に略平行な平板状の部位である。給排水口２１３は、底部２１２からｚ方向下方に突出状に設けられており、水タンク２１の内部空間と底部２１２のｚ方向下方の空間とを通じさせる。給排水口２１３の外側面には、タンクキャップ２２を脱着自在に取り付けるための例えばねじが形成されている。嵌合突条２１４は、底部２１２のうち外面２１１に繋がる端縁に沿って設けられており、底部２１２からｚ方向下方に突出している。嵌合突条２１４は、給水部２を加湿器筐体１に対して位置決めするための部位である。
【００７０】
天蓋部２３は、水タンク２１をｚ方向上側から覆っている。図示された例においては、天蓋部２３は、水タンク２１に固定されている。天蓋部２３は、把手部２３１を有する。把手部２３１は、給水部２の加湿器筐体１への脱着や、給水部２への注水において、使用者が給水部２を保持するための部位である。
【００７１】
タンクキャップ２２は、水タンク２１の給排水口２１３に脱着自在に取り付けられるものであり、給排水口２１３を閉じる閉状態と開口させる開状態とをとり得る構成とされている。図示された例においては、タンクキャップ２２は、図２３に示すように、螺合筒部２２０、延長筒部２２１、底部２２２、外筒部２２３、内筒部２２４、連結部２２５、ばね２２６、可動ロッド２２７及び開閉弁部２２８を有する。図２３（ａ）は、閉状態のタンクキャップ２２を示しており、図２３（ｂ）は、開状態のタンクキャップ２２を示している。
【００７２】
螺合筒部２２０は、タンクキャップ２２の最も外側に設けられた筒状部位であり、内側面に水タンク２１の給排水口２１３と螺合するねじが形成されている。延長筒部２２１は、螺合筒部２２０の内側においてｚ方向下方に延びる筒状部位である。延長筒部２２１には、凹部２２１１が形成されている。凹部２２１１は、延長筒部２２１のｚ方向下端からｚ方向上側に凹む部位である。外筒部２２３は、螺合筒部２２０の内側に位置しており、延長筒部２２１のｚ方向上端に繋がっている。外筒部２２３は、延長筒部２２１からｚ方向上方に延びる筒状部位である。
【００７３】
底部２２２は、螺合筒部２２０のｚ方向下端と延長筒部２２１及び外筒部２２３の境界部分とに繋がっており、ｚ方向視において円環形状の板状部位である。底部２２２は、螺合筒部２２０と延長筒部２２１及び外筒部２２３との間の空間を塞いでいる。
【００７４】
内筒部２２４は、外筒部２２３の内側に位置しており、ｚ方向に延びる筒状部位である。連結部２２５は、延長筒部２２１と内筒部２２４とを繋いでおり、内筒部２２４を外筒部２２３に対して固定している。
【００７５】
ばね２２６は、例えば金属製のつる巻きばねであり、内筒部２２４内に収容されている。可動ロッド２２７は、内筒部２２４及びばね２２６に挿通されており、内筒部２２４及びばね２２６に対してｚ方向に可動である。可動ロッド２２７の下端には、鍔状部分が設けられており、ばね２２６の下端と当接している。可動ロッド２２７の上端部分は、内筒部２２４からｚ方向上方に突出している。開閉弁部２２８は、ｚ方向上方に広がる傘状部材であり、可動ロッド２２７のｚ方向上側部分に気密性を維持した状態で固定されている。また、開閉弁部２２８のｚ方向視における外形（円形の場合の外径）は、外筒部２２３の内径よりも大きい。開閉弁部２２８は、例えばゴムからなる。
【００７６】
図２３（ａ）に示す閉状態は、給水部２が加湿器筐体１に取り付けられる前の状態を示している。この状態においては、ｚ方向下方に向かうばね２２６の弾性力が、可動ロッド２２７に付勢されている。これにより、可動ロッド２２７に固定された開閉弁部２２８が外筒部２２３のｚ方向上端縁に密着している。これにより、タンクキャップ２２は、給排水口２１３を閉じている。
【００７７】
一方、図２３（ｂ）に示す開状態は、給水部２が加湿器筐体１に取り付けられた状態を示している。この状態においては、後述の排水手段６の蓋部６２の給水用凸部６２４が、ｚ方向下方から可動ロッド２２７に当接している。これにより、ばね２２６が圧縮され、可動ロッド２２７が、内筒部２２４に対してｚ方向上方に相対的に移動している。このため、可動ロッド２２７に固定された開閉弁部２２８が外筒部２２３のｚ方向上端縁から離間する。そして、外筒部２２３と開閉弁部２２８との間から、水タンク２１の水がｚ方向下方へと流出し、外筒部２２３及び延長筒部２２１を通じて、加湿器筐体１内の所定箇所に供給される。
【００７８】
なお、給水部２は、開閉機構を備えたタンクキャップ２２以外の部位において、密閉されている。このため、給水部２からの給水においては、タンクキャップ２２の延長筒部２２１の凹部２２１１から水タンク２１内へと給水量に対応した体積の空気が流入する。加湿器筐体１内の水位が上昇すると、凹部２２１１が水に埋没する格好となる。これにより、水タンク２１内への空気の流入が阻止され、給水が停止する。したがって、加湿器筐体１内の最大水位は、凹部２２１１のｚ方向上端の高さで維持される。この水位維持機能は、後述の給水部２からの給水に利用される。
【００７９】
＜霧化部３＞
霧化部３は、給水部２から供給された水を用いて霧を発生させるためのものである。本実施形態においては、図３４、図３６、図３７及び図３８に示すように、霧化部３は、気体供給部３１、霧化槽３２、超音波発振部３３及びカップ３４を有する。
【００８０】
気体供給部３１は、霧を霧化部３から放出するための気体を供給するためのものである。本実施形態の気体供給部３１は、ファン３１１、モータ３１１１、供給路３１２、供給口３１３及びケーシング部３１４を有する。なお、図示された例においては、供給路３１２、供給口３１３及びケーシング部３１４は、加湿器筐体１の内部構造部１１の一部によって構成されているが、霧化部３の構成は特に限定されず、例えば加湿器筐体１とは別体の部材によって構成されていてもよい。
【００８１】
ファン３１１は、気体を流動させるためのものであり、複数の翼体によって構成されている。図示された例においては、ファン３１１は、いわゆるシロッコファンである。ケーシング部３１４は、ファン３１１を収納しており、ファン３１１の回転によって、気体を供給するための空間を規定している。モータ３１１１は、ケーシング部３１４の外側に配置されており、ファン３１１に連結されている。モータ３１１１は、ファン３１１の回転駆動源である。
【００８２】
供給路３１２は、ケーシング部３１４に繋がっており、ファン３１１が供給した気体を霧化槽３２へと導く経路を構成している。供給口３１３は、供給路３１２の下流側に繋がっており、供給路３１２内を導かれてきた気体を霧化槽３２内へと放出する。
【００８３】
霧化槽３２は、水を霧へと変化させるための層である。霧化槽３２は、中板部１１１からｚ方向下方に凹んでおり、図示された例においては、トラップ流路下側部１１８のｙ方向前側に位置している。霧化槽３２の大部分は、ｚ方向視円形状の槽である。この円形状の槽部分の底部には、超音波発振部３３が設置されている。超音波発振部３３は、超音波発振子（超音波振動子）を有しており、超音波を利用した霧化を実現する部位である。
【００８４】
また、霧化槽３２は、水位検知部３２１を有する。水位検知部３２１は、霧化槽３２の水位が低くなったことを検知すると、超音波発振部３３を停止させるように構成されている。
【００８５】
カップ３４は、霧化槽３２の内面に沿う形状であり、霧化槽３２に脱着自在とされている。カップ３４の材質は特に限定されず、例えば樹脂からなる。
【００８６】
＜送風部４＞
送風部４は、霧化部３が発生させた霧を、加湿器Ａ１外のより広い領域に飛散させるための風を発生させるためのものである。本実施形態の送風部４は、いわゆるサーキュレータとして構成されており、図９〜図１６に示すように、送風口４１、グリル４２、上下首振りケース４３、左右首振り側支持部４４、固定側支持部４５及びファン４６を有する。
【００８７】
送風口４１は、風を外部へと送風する部位である。本実施形態においては、送風口４１は、加湿器筐体１の上面１０１の凹窪部１０８内に設けられている。
【００８８】
グリル４２は、送風部４のｚ方向上端に位置している。グリル４２の材質は特に限定されず、例えば樹脂からなる。図１６に示すように、本実施形態においては、グリル４２は、複数のフィン４２１、内端部４２２、外端部４２３及び複数の係合部４２４を有する。
【００８９】
複数のフィン４２１は、ｚ方向に延びる軸を中心に放射状に設けられている。複数のフィン４２１は、図１６（ｂ）によく表れているように、渦巻き状に設けられている。内端部４２２は、複数のフィン４２１の内端に繋がっている。図示された例においては、内端部４２２は、円形部材の外周端である。外端部４２３は、複数のフィン４２１の外端に繋がっており、図示された例においては、円環形状である。本実施形態においては、内端部４２２は、外端部４２３に対して送風方向Ｏ４（図１３参照）に突出している。複数の係合部４２４は、外端部４２３からｚ方向下方に突出しており、グリル４２を上下首振りケース４３に係止するためのものである。
【００９０】
上下首振りケース４３は、ファン４６を収容しており、左右首振り側支持部４４に対して上下首振り可能に支持されている。上下首振りケース４３の材質は特に限定されず、例えば樹脂からなる。本実施形態においては、上下首振りケース４３は、グリル４２とともに、略球殻状のケースを構成している。
【００９１】
上下首振りケース４３は、一対の上下首振り軸部４３１、吸気口４３２及びギヤ部４３３を有する。一対の上下首振り軸部４３１は、上下首振りケース４３のｙ方向及びｚ方向の略中央位置からｘ方向両側に突出している。一対の上下首振り軸部４３１は、左右首振り側支持部４４によって支持されることにより、上下首振りケース４３の上下首振りの軸Ｏ４１を構成する。なお、本実施形態においては、上下首振りケース４３の上下首振りは、使用者が手動によって好みの角度に上下首振りケース４３を設定することによって行うが、これに限定されず、例えば上下首振りのためのモータ等の駆動源を備える構成であってもよい。吸気口４３２は、上下首振りケース４３のｚ方向下方部分が開口された部位である。吸気口４３２は、ファン４６によって風を生じさせるための空気を吸入する部位である。
【００９２】
ギヤ部４３３は、上下首振りケース４３のｙ方向前面に設けられており、ｘ方向に沿って配列された複数の歯を有する。これらの歯は、上下首振りケース４３の外面から突出している。ギヤ部４３３は、後述の導出部５の吹出口５１を、上下首振りケース４３の首振り動に連動させるためのものである。
【００９３】
左右首振り側支持部４４は、上下首振りケース４３を支持しており、固定側支持部４５に対して左右首振り可能に支持されている。本実施形態においては、左右首振り側支持部４４は、ベース部４４１、一対の支柱部４４２、一対の軸受孔部４４３、左右首振りモータ４４４及び左右首振り軸部４４５を有する。ベース部４４１、支柱部４４２、軸受孔部４４３及び左右首振り軸部４４５の材質は特に限定されず、例えば樹脂からなる。
【００９４】
ベース部４４１は、ｚ方向下方に位置する箱状部位である。ベース部４４１は、図１０に示すように左右首振りモータ４４４を収容している。一対の支柱部４４２は、ベース部４４１の両側からｚ方向上方に起立した部位である。一対の軸受孔部４４３は、一対の支柱部４４２のｚ方向上側部分に形成されており、ｘ方向に貫通している。一対の軸受孔部４４３には、上下首振りケース４３の一対の上下首振り軸部４３１が挿通されている。左右首振りモータ４４４は、左右首振り側支持部４４を固定側支持部４５に対して左右首振りさせるための駆動源である。左右首振り軸部４４５は、ｚ方向下方に延びる軸である。左右首振り軸部４４５は、固定側支持部４５に支持されることにより、左右首振り側支持部４４の左右首振りの軸Ｏ４２を構成する。
【００９５】
固定側支持部４５は、送風部４を加湿器筐体１の受け部材１３に固定するための部位であり、受け部材１３に対して相対動しない部位である。固定側支持部４５は、左右首振り側支持部４４の左右首振り軸部４４５を軸Ｏ４２周りに回転可能に支持している。なお、送風部４（左右首振り側支持部４４）の左右首振り角度範囲は、例えば、２５度〜４５度に設定される。
【００９６】
ファン４６は、送風部４から送風する風を発生させるためのものである。ファン４６は、グリル４２及び上下首振りケース４３に収容されている。ファン４６は、例えば送風モータ４６１によって回転駆動される。図示された例においては、送風モータ４６１は、ファン４６とともに上下首振りケース４３に収容されている。
【００９７】
＜導出部５＞
導出部５は、霧化部３で発生した霧を送風部４の送風口４１の近傍に導くためのものであり、図１７〜図２０に示すように、吹出口５１及び誘導部５２を有する。導出部５の材質は特に限定されず、例えば樹脂からなる。
【００９８】
吹出口５１は、霧化部３で発生した霧を放出させる部位である。図１〜図３、図５、図６、図８及び図１０に示すように、吹出口５１は、凹窪部１０８内に位置しており、送風部４の送風口４１に対してｙ方向前側に隣接している。吹出口５１の上端部は、加湿器筐体１の凹窪部１０８内で上方突出状に設けられている。
【００９９】
本実施形態の吹出口５１は、図１７〜図２０に示すように、筒部５１１、方向規定部５１２、延出片５１３及びギヤ部５１４を有する。筒部５１１は、誘導部５２に取り付けられる部位であり、誘導部５２に対して回転可能に支持される。方向規定部５１２は、筒部５１１の上端に設けられており、図１０によく表れているように、筒部５１１をｚ方向上方に向けて進行してきた霧を、ｙ方向後側に傾いた方向に進行するように、霧の進行方向である霧放出方向Ｎを規定する部位である。
【０１００】
延出片５１３は、筒部５１１からｚ方向可能に延出しており、一部のｚ方向位置が、送風部４のギヤ部４３３に重なる程度の長さとされている。ギヤ部５１４は、延出片５１３のｚ方向下側部分に設けられており、ｙ方向後側に突出する複数の歯を有している。図２０によく表れているように、ギヤ部５１４は、上下首振りケース４３のギヤ部４３３と噛み合っている。これにより、上下首振りケース４３が左右首振り側支持部４４の左右首振りに伴って図中矢印に沿って左右首振りすると、ギヤ部４３３とギヤ部５１４との噛合により、吹出口５１が上下首振りケース４３に連動して首振りする。本実施形態においては、上下首振りケース４３及び左右首振り側支持部４４の左右首振り角度範囲は、ギヤ部４３３とギヤ部５１４とが噛み合う範囲に限定されている。
【０１０１】
誘導部５２は、霧化部３から吹出口５１に霧を誘導する部位である。本実施形態においては、誘導部５２は、殻状蓋部５２１、通風部５２２、漏洩抑制突片５２３及び筒部５２４を有する。また、誘導部５２は、被検知部を備え、加湿器筐体１は、検知部を備える。誘導部５２が加湿器筐体１に取着されることで、検知部がＯＮに切換えるよう構成されている。具体的には、誘導部５２にはマグネット（被検知部）が設けられ、加湿器筐体１にはマグネットに反応するスイッチ手段（検知部）が設けられている。この構成により、誘導部５２を付け忘れたまま加湿を行うといった誤使用を防止できる。
【０１０２】
殻状蓋部５２１は、霧化部３の霧化槽３２をｚ方向上側から塞ぐ部位であり、ｚ方向上方に膨出する殻状部位である。通風部５２２は、霧化部３の供給口３１３を覆う部位であり、供給口３１３からの風を殻状蓋部５２１及び霧化槽３２に導くための部位である。漏洩抑制突片５２３は、霧化槽３２内で発生した霧が、霧化槽３２や殻状蓋部５２１外に意図せず漏洩することを防止するための部位である。漏洩抑制突片５２３は、内部構造部１１に対面した状態で当接する板状部位である。筒部５２４は、殻状蓋部５２１からｚ方向上方に延びるテーパ状の筒状部位である。筒部５２４は、霧化槽３２で発生した霧をｚ方向上方へと導く。筒部５２４のｚ方向上側部分には、吹出口５１が回転可能に取り付けられている。
【０１０３】
誘導部５２の下端縁のｚ方向視形状は、内部構造部１１の環状突条１１６のｚ方向視形状と略一致している。誘導部５２が環状突条１１６に嵌め込まれることにより、導出部５の内部構造部１１に対する位置決めがなされ、霧の漏洩を防止できる。また、内部構造部１１の係止爪１１７は、漏洩抑制突片５２３の一部が係合する。これにより、導出部５が内部構造部１１に対してより確実に固定される。
【０１０４】
＜排水手段６＞
排水手段６は、給水部２から供給され、霧化部３における霧の発生に用いられる水を、適宜回収するためのものである。排水手段６の材質は特に限定されず、例えば樹脂からなる。図２６〜図３３に示すように、排水手段６は、排水容器６１、蓋部６２及びパッキン６３を有する。図２６は、排水手段６を示す斜視図であり、図２７は、排水手段６を示す平面図である。図２８は、排水手段６を示す側面図であり、図２９は、図２８のＸＸＩＸ−ＸＸＩＸ線に沿う断面図である。図３０は、加湿器Ａ１の通常の使用において排水手段６が内部構造部１１に装填された状態を示す断面斜視図であり、図３１は、図３０のＸＸＸＩ−ＸＸＸＩ線に沿う要部断面図及び要部拡大断面図である。図３２は、排水手段６による排水が行われる状態を示す断面側面図であり、図３３は、図３２のＸＸＸＩＩＩ−ＸＸＸＩＩＩ線に沿う要部断面図及び要部拡大断面図である。
【０１０５】
排水容器６１は、給水部２から霧化部３に供給される水を収容するための容器である。排水容器６１は、加湿器Ａ１の使用時において、内部構造部１１の排水槽１１３に収容されている。本実施形態においては、排水容器６１は、側板部６１１、底部６１２、係止突条６１３及び第１排水口６１４を有する。
【０１０６】
側板部６１１は、ｚ方向に平行な板状部位であり、排水容器６１の内部空間をｚ方向視において囲んでいる。底部６１２は、側板部６１１のｚ方向下端に繋がっており、側板部６１１をｚ方向下方から塞いでいる。係止突条６１３は、側板部６１１からｚ方向視において外側に突出しており、図示された例においては、側板部６１１の全周にわたって設けられている。係止突条６１３は、排水容器６１を排水槽１１３に収容する際に、排水槽１１３に対して排水容器６１を位置決めするためのものである。図示された例においては、係止突条６１３は、水平部６１３１及び垂下部６１３２を有する。水平部６１３１は、ｚ方向に対して直角に延びる部位であり、側板部６１１のｙ方向前面、ｘ方向右側面及びｙ方向後面と、ｘ方向左側面のｙ方向両側一部ずつとに設けられている。垂下部６１３２は、水平部６１３１に繋がっており、側板部６１１のｘ方向左側面に設けられている。垂下部６１３２は、水平部６１３１からｚ方向下方に凹んだ、ｘ方向視台形状の部位である。
【０１０７】
第１排水口６１４は、排水されるべき水を排水容器６１内へと導くための開口である。第１排水口６１４は、側板部６１１を貫通している。本実施形態においては、第１排水口６１４は、係止突条６１３の垂下部６１３２のｚ方向下側に隣接して設けられており、ｙ方向に長く延びる扁平な矩形状である。
【０１０８】
蓋部６２は、排水容器６１を塞ぐものである。本実施形態の蓋部６２は、天板部６２１、把手部６２２、延出部６２３及び給水用凸部６２４を有する。
【０１０９】
天板部６２１は、排水容器６１に嵌め込まれて、排水容器６１をｚ方向上方から塞ぐものである。本実施形態においては、天板部６２１には、第２排水口６２５が形成されている。第２排水口６２５は、天板部６２１をｚ方向に貫通する複数の貫通孔からなる。
【０１１０】
把手部６２２は、天板部６２１からｚ方向上方に突出する環状部分である。把手部６２２は、排水手段６を持ち上げたりする際に把持される部位である。
【０１１１】
延出部６２３は、天板部６２１に繋がっており、内部構造部１１の排水槽１１３から給水槽１１２へと至る部位である。図示された例においては、延出部６２３は、天板部６２１からｙ方向前側に若干延びた部分と、当該部分からｚ方向下方に延びる部分と、当該部分からｙ方向前側に延びる部分とを有する。
【０１１２】
給水用凸部６２４は、延出部６２３のｙ方向前側部分であって給水槽１１２に収容される部分から、ｚ方向上方に突出している。図示された例においては、給水用凸部６２４は、コーン形状とされている。給水用凸部６２４は、図２３（ｂ）に示したように、給水部２のタンクキャップ２２の可動ロッド２２７のｚ方向下端に当接する部位である。
【０１１３】
パッキン６３は、排水容器６１と内部構造部１１の排水槽１１３とに挟まれることにより、気密状態を実現するためのものである。図示された例においては、パッキン６３は、排水容器６１の係止突条６１３に対してｚ方向下側に取り付けられている。このため、パッキン６３は、図３０及び図３１に示す加湿器Ａ１の通常の使用において、排水容器６１の係止突条６１３と排水槽１１３の排水手段受け部１１３１に挟まれることにより、これらの気密状態を実現している。
【０１１４】
＜温湿度状態表示部７＞
温湿度状態表示部７は、図１及び図２に示すように、加湿器筐体１の前面１０３に設けられており、少なくとも加湿器Ａ１の周囲環境の湿度を表示する湿度表示部の一例に相当する。温湿度状態表示部７の湿度表示は、例えば加湿器筐体１の背面１０４の吸気口１０４１の内側に設けられた温湿度センサー（図示略）の出力信号に基づいて、図３９に例示するように、当該湿度センサーが検知した湿度を数値で表示する数値表示部７２を有する。数値表示部７２は、加湿器Ａ１から離れたところからも読み取れるように、比較的大きな数字を表示する。
【０１１５】
また、温湿度状態表示部７は、当該温湿度センサーが検知した温度及び湿度に基づいて周辺環境の状態を表示する温湿度状態表示部を有しており、図示された例においては、面発光部７１が温湿度状態表示部を構成している。面発光部７１は、例えば複数色を発光可能なＬＥＤと、このＬＥＤからの光を面状光に変換する反射部や導光部を有している。温度と湿度との関係から、加湿器Ａ１が置かれた環境が例えばウイルスの繁殖のしやすさ等の衛生面の観点で、状態評価を行う。衛生面の観点から好ましいと言える、相対的に湿度が高い状態においては、面発光部７１が例えば青色や緑色に発光する（図３９（ａ））。また、湿度が若干低下した状態においては、面発光部７１が例えば黄色に発光する（図３９（ｂ））。そして、湿度がさらに低下した状態においては、面発光部７１が例えば赤色に発光する（図３９（ｃ））。
【０１１６】
＜全体制御部８１＞
全体制御部８１は、加湿器Ａ１の全体の動作を制御する部位であり、例えば制御基板８１１及び複数の制御部品８１２によって構成されている。全体制御部８１は、底部構造部１２の全体制御部収容部１２１に収容されている。本実施形態においては、制御基板８１１は、ｚ方向に対して直角な姿勢でｘｙ平面に沿って配置されている。複数の制御部品８１２は、制御基板８１１に実装されている。
【０１１７】
＜操作制御部８３＞
操作制御部８３は、加湿器Ａ１の使用者の操作を電気信号等に変換して全体制御部８１に伝達する部位であり、例えば操作基板８３１及び複数の操作部品８３２からなる。操作基板８３１は、ｙ方向に長く延びる帯状の基板である。複数の操作部品８３２は、操作基板８３１に実装されている。操作制御部８３は、受け部材１３の操作制御部収容部１３４に収容されている。
【０１１８】
＜電源部８５＞
電源部８５は、加湿器Ａ１に供給される商用の１００Ｖ交流電力を変換する部位であり、例えば、霧化部３の超音波発振部３３に適した４０Ｖ直流電力に変換する。電源部８５は、電源基板８５１及び複数の電源部品８５２からなる。電源部８５は、底部構造部１２の電源部収容部１２２に収容されている。本実施形態においては、電源基板８５１は、ｚ方向に沿って起立した姿勢で、ｚｘ平面に沿って配置されている。複数の電源部品８５２は、電源基板８５１に実装されている。
【０１１９】
＜操作部９１＞
操作部９１は、加湿器Ａ１の使用者の操作を実現するための部位である。操作部９１は、操作制御部８３のｚ方向直上に配置されており、操作制御部８３の複数の操作部品８３２に対応したボタン等を有する。
【０１２０】
＜給水＞
加湿器Ａ１の給水について、説明する。水タンク２１に注水し、水タンク２１の給排水口２１３をタンクキャップ２２によって塞ぐ。次いで、図２１に示すように、内部構造部１１の排水槽１１３に排水手段６を収容しておく。次いで、タンクキャップ２２をｚ方向下方に位置させた姿勢で、給水部２を加湿器筐体１に取り付ける。この際、水タンク２１が排水手段６に載置される。これにより、水タンク２１の重量によって、パッキン６３が係止突条６１３と排水手段受け部１１３１とに挟まれる。この結果、パッキン６３が気密状態を実現し、水漏れを防止する。
【０１２１】
給水部２を加湿器筐体１に取り付けると、図２３（ｂ）に示すように、給水用凸部６２４によって、可動ロッド２２７が内筒部２２４に対してｚ方向上方に押し上げられる。これにより、開閉弁部２２８が外筒部２２３のｚ方向上端から離間し、この隙間を通じて、水タンク２１内の水がｚ方向下方に給水される。この水は、図２５に示すように、給水槽１１２に給水される。
【０１２２】
給水槽１１２に水が満たされると、排水槽１１３と排水手段６との間に設けられた給水路１１４を通じて、給水パイプ１１５へと水が流入する。次いで、給水パイプ１１５を通じて霧化部３の霧化槽３２へと水が給水される。この給水に際しては、給水パイプ１１５に設けられたヒータ３９によって水を加熱することにより、水の雑菌発生を抑制してもよい。霧化槽３２に水が満たされると、霧化槽３２及び給水槽１１２内の水位が、図２３（ｂ）の凹部２２１１のｚ方向上端に到達する。これにより、凹部２２１１が水によって塞がれ、水タンク２１内への空気の流入が阻止される。この結果、給水部２からの給水が停止する。この後は、霧化部３の霧化処理に伴い、霧化槽３２及び給水槽１１２の水位が低下する。水位が凹部２２１１から下降すると、再び凹部２２１１が水によって塞がれるまで、給水が再開する。このように、霧化槽３２及び給水槽１１２における水位が一定に保たれる。
【０１２３】
＜加湿＞
加湿器Ａ１の加湿について、説明する。霧化部３の超音波発振部３３によって霧が発生すると、気体供給部３１からの風によって、霧化槽３２内の霧が導出部５へと送られる。導出部５の誘導部５２から吹出口５１へと誘導された霧は、吹出口５１から放出される。図１０に示すように、吹出口５１は、方向規定部５１２を有しており、吹出口５１からの霧は、ｙ方向後側に傾いた方向に放出される。この霧の発生と並行して、送風部４からは、図１３の送風方向Ｏ４に向けて送風される。この送風部４からの風に乗せて、吹出口５１から放出された霧が飛散する。送風方向Ｏ４のｚ方向に対する角度は、上下首振りケース４３を左右首振り側支持部４４に対して軸Ｏ４１周りに上下首振りすることにより調整可能である。また、送風部４は、左右首振り側支持部４４の左右首振りモータ４４４の駆動により、ｚ方向に延びる軸Ｏ４２周りに左右首振りする。送風方向Ｏ４がｚ方向に対して傾いているため、左右首振り側支持部４４の首振りによって、送風方向Ｏ４が左右首振りする。また、図１９及び図２０に示すように、上下首振りケース４３のギヤ部４３３と吹出口５１のギヤ部５１４とが噛み合っていることにより、左右首振り側支持部４４の首振りに連動して、吹出口５１が首振りする。これにより、図３に示すように、ｚ方向視において霧放出方向Ｎが左右首振りする。なお、図３においては、霧放出方向Ｎが、ｙ方向に対して４０度程度傾いた状態を示している。
【０１２４】
＜排水＞
加湿器Ａ１の排水について、説明する。加湿器Ａ１の通常の使用時には、給水部２からの給水、霧化部３による霧の発生及び送風部４からの送風がなされる。これらの通常使用が終了した場合や、清掃等の理由により、加湿器Ａ１を分解する際には、給水槽１１２や霧化槽３２に貯められた水を排水することが好ましい。加湿器Ａ１においては、図３０及び図３１に示す通常使用時には、第１排水口６１４がパッキン６３によって封鎖されており、その周囲に、上述した水位維持機能により、水が満たされている。
【０１２５】
この水を排水するには、給水部２を取り除いた後に、排水手段６の把手部６２２を把持する等によって、排水手段６を若干持ち上げる。図示された排水手段６の位置は、排水位置である。これにより、図３２及び図３３に示すように、パッキン６３による気密状態が解除され、第１排水口６１４が排水槽１１３の排水凹部１１３２のｚ方向下方部分に開口することとなる。これにより、第１排水口６１４から排水容器６１内へと、水が流入し、霧化槽３２及び給水槽１１２の水が排水される。また、第１排水口６１４からの排水のみによって排水しきれない水については、例えばスポイト等によってこの水を吸引し、排水手段６の蓋部６２の把手部６２２から排水容器６１内へとスポイトの水を注入することにより、排水してもよい。
【０１２６】
また、他の排水方法として、排水手段６の蓋部６２を排水容器６１から取り外すことで、排水容器６１内へ水が流入するように構成されていても良い。図示省略するが、この場
合、蓋部６２と排水容器６１の間に挟まれるようにパッキンが設けられる。
【０１２７】
次に、加湿器Ａ１の作用について説明する。
【０１２８】
本実施形態によれば、送風部４が左右首振りであることにより、加湿器Ａ１からｘ方向左右のより広い領域に向けて霧を拡散させることができる。このため、加湿器Ａ１を室内の隅部に置きつつ、室内の別の領域に霧を拡散させることが可能であり、例えば加湿器Ａ１を室内の中央に配置する必要がないという利点がある。また、送風部４の気流（スパイラル気流）によって室内空気を撹拌でき、室内空気の温度を均一化することで、室内全体に於ける飽和水蒸気量の差異を小さくすることができ、室内をムラなく加湿できる。
【０１２９】
ギヤ部４３３とギヤ部５１４とが噛み合うことにより、送風部４の左右首振りに対応して吹出口５１が左右に追従するように構成されている。これにより、送風部４の左右首振りによって、送風方向Ｏ４がいずれの方位に向いている場合であっても、送風部４からの風に十分な量の霧を乗せることが可能である。したがって、より広い領域により均一に霧を飛散させることができる。また、吹出口５１からの霧放出方向Ｎが、常に送風部４の送風方向Ｏ４に交差するように構成され、送風部４の気流（スパイラル気流）に十分な量の霧を乗せることができ、霧（ミスト）をより遠くに飛ばすことができる。
【０１３０】
図１６に示すように、グリル４２は、渦巻き状に設けられた複数のフィン４２１を有している。これにより、図１３に示すように、送風部４は、送風方向Ｏ４を中心としてスパイラル状に進行する気流を発生させることが可能である。このようなスパイラル状の気流は、指向性が高く、より遠い位置に到達できる。したがって、加湿器Ａ１によれば、より広い領域に霧を飛散させることができ、室内を隅々まで加湿できる。内端部４２２が外端部４２３よりも送風方向Ｏ４に突出している構成は、送風方向Ｏ４の中央（中心）に向けてスパイラル気流を集めて（収束させて）、より指向性が高いスパイラル状の気流を発生させるのに適している。さらに、左右首振り時に、送風部４と加湿器筐体１の隙間の大きさが増大することなく、指詰めを防止できる。
【０１３１】
加湿器筐体１の凹窪部１０８に送風部４の送風口４１が囲まれており、凹窪部１０８に導出部５の吹出口５１が設けられている。これにより、送風口４１と吹出口５１とを近接させることが可能であり、霧をより効率よく飛散させることが可能である。また、送風口４１と吹出口５１とが、凹窪部１０８に設けられていることにより、送風口４１及び吹出口５１は、上面１０１から大きく突出する構成ではない。これにより、送風口４１及び吹出口５１が過大に目立ってしまうことを抑制可能であり、加湿器Ａ１の外観をより美麗に保つことができる。
【０１３２】
吹出口５１が、凹窪部１０８内においてｚ方向上方に突出して設けられていることにより、吹出口５１からの霧が凹窪部１０８に付着して露濡れするのを防ぎ、また、加湿器筐体１の一部に霧が不当に吹き付けられ露濡れする等の事態を回避することができる。
【０１３３】
加湿器筐体１の上面１０１がｘｙ平面に対して前方下傾状に形成されており、送風部４が上下首振り自在に構成されている。これにより、送風部４からの気流を加湿器Ａ１の直上ではなく、加湿器Ａ１に対してｙ方向前方に位置する領域に向かわせることが可能であり、加湿器Ａ１を室内の隅部に置いた場合でも、室内を隅々まで加湿できる。また、加湿器筐体１の上面１０１に設けた操作部９１を前方から視認し易いという利点がある。なお、ｙ方向前方へ向かう送風部４からの気流の上下角度は、送風部４の上下首振りにより調節することができる。
【０１３４】
図２及び図６に示すように、給水部２の水タンク２１の外面２１１が、加湿器筐体１の前面１０３、背面１０４及び側面１０６とともに、連続した外面を構成している。これにより、仮に、給水部２が不適切な状態で加湿器筐体１に取り付けられていると、加湿器Ａ１の外面が屈曲状であったり、隙間を有する状態であったりと、外観が乱れた状態となる。したがって、給水部２の不適切な取り付けを、目視によって容易かつ確実に認識することが可能であり、加湿器Ａ１の誤使用や故障を回避することができる。
【０１３５】
給水部２から霧化部３に給水される水を回収する排水手段６を備えることにより、清掃等際に、加湿器Ａ１内の水をより確実かつスムーズに排水することができる。特に、加湿器Ａ１においては、図３０〜図３３に示すように、排水手段６をｙ方向上方に若干持ち上げるという動作のみによって、霧化槽３２や給水槽１１２に貯められた水を第１排水口６１４から排水容器６１内に流入させることが可能である。排水の際、加湿器Ａ１を持ち上げて逆さにする必要はなく、加湿器Ａ１の手入れを容易とし、排水にかかる手間を大幅に低減することができる。また、第１排水口６１４を通じた排水のみによって除去し難い水を、第２排水口６２５を用いた排水によって除去することができる。例えば、スポイト等によって排水槽１１３から除去した水を、第２排水口６２５から排水容器６１内に注入することができる。
【０１３６】
図２３に示すように、排水手段６の給水用凸部６２４にタンクキャップ２２の可動ロッド２２７が当接することにより、タンクキャップ２２は、閉状態から開状態をとらされる。これにより、給水部２を加湿器筐体１に取り付けることにより、容易かつスムーズに給水部２からの給水を行うことができる。また、排水手段６を付け忘れたまま加湿を行うというような誤使用を防止できる。
【０１３７】
図３１に示すようにパッキン６３は、排水容器６１の係止突条６１３と排水槽１１３の排水手段受け部１１３１とに挟まれており、給水部２の重量が付加されている。これにより、パッキン６３は、十分な力で係止突条６１３及び排水手段受け部１１３１に挟まれることとなり、確実な密閉状態を実現することができる。簡素な構造で確実に密閉状態を形成することができ、かつ、排水手段６をｚ方向上方に若干持ち上げるという動作のみで、容易に止水を解除して排水容器６１内に水を流入させて排水することが可能である。従って、簡単に加湿器Ａ１の手入れを行うことができる。
【０１３８】
霧化部３がカップ３４を有していることにより、霧化部３の霧化処理を継続した場合に発生しうる水垢等を、カップ３４に付着させることができる。カップ３４は、霧化槽３２に対して脱着可能であるため、カップ３４を取り外して容易に清掃可能であるという利点がある。
【０１３９】
図３５及び図３６に示すように、送風部４を収容及び支持する受け部材１３には、水抜き孔１３３１が設けられている。加湿器Ａ１の使用中に、受け部材１３内に意図しない水分が侵入した場合、この水分は雑菌の温床となり臭いの原因となったり、送風部４を故障させたりする原因となりうる。このような水分を水抜き孔１３３１を通じて、中板部１１１の下方空間に落下させることが可能である。これにより、雑菌の繁殖や臭いの発生、送風部４の故障等を抑制することができる。
【０１４０】
図３７及び図３８に示すように、底部構造部１２には、溝部１２４及び排水孔１２５が形成されている。溝部１２４は、全体制御部収容部１２１及び電源部収容部１２２の内部空間には通じておらず、これらから区画されている。水抜き孔１３３１を通じて落下した水は、溝部１２４に流入し、排水孔１２５から加湿器Ａ１外へと排出される。したがって、このような水が全体制御部収容部１２１内の全体制御部８１や電源部収容部１２２内の電源部８５に付着することを防止することができる。また、中板部１１１に設けられた排水孔１１９１を通じて、中板部１１１上に意図せず滞留した水を、溝部１２４へと落下させることができる。
【０１４１】
図３６に示すように、底部構造部１２の通風口１２３からｚ方向上方へと進入した気流は、全体制御部収容部１２１及び通風口１２３を通過して、トラップ流路下側部１１８及びトラップ流路上側部１３３２によって構成されたトラップ流路に導かれる。そして、この気流は、受け部材１３内をｚ方向上方へと通過する。これにより、全体制御部収容部１２１内の全体制御部８１や電源部収容部１２２内の電源部８５を乾燥した状態に保つことができる。また、トラップ流路は、上方からの水が、誤って電源部収容部１２２や全体制御部収容部１２１に進入することを阻止する機能を果たす。したがって全体制御部８１や電源部８５に水分が付着することを抑制することができる。また、電源部８５の電源基板８５１がｚ方向に沿って起立している。電源部８５は、電源変換機能を果たすため、相対的に発熱量が多い。この電源部８５が起立していることにより、通風口１２３から流入した気流によって、複数の電源部品８５２等を効率よく冷却することが可能である。
【０１４２】
加湿器筐体１の前面１０３に温湿度状態表示部７を設けることにより、使用者が温湿度の状態をより迅速かつ容易に認識することが可能である。温湿度状態表示部７に比較的大きな数字で加湿器Ａ１周辺の雰囲気の湿度の状態を表示することにより、加湿器Ａ１を部屋の隅部に置いた場合でも、室内のどこからでも湿度を読み取ることができる。また、温湿度状態表示部７の面発光部７１によって状態表示することにより、より直感的に温湿度の状態を把握することができる。面発光部７１は、加湿器Ａ１から離れたところからも視認し易く、加湿器Ａ１を部屋の隅部に置いた場合でも、温湿度状態の注意喚起をすることができる。
【０１４３】
図４０〜図５１は、本発明の他の実施形態を示している。なお、これらの図において、上記実施形態と同一又は類似の要素には、上記実施形態と同一の符号を付している。
【０１４４】
＜第２実施形態＞
図４０は、本発明の第２実施形態に係る加湿器を示している。本実施形態の加湿器Ａ２は、排水手段６を排水位置に位置決めする位置決め手段を備えている。
【０１４５】
具体的には、図４０（ａ）に示すように、排水手段６の排水容器６１の側板部６１１に位置決め凹部６１１１が設けられている。位置決め凹部６１１１は、側板部６１１が部分的に内側に凹んだ部位である。また、加湿器筐体１の内部構造部１１の排水槽１１３には、位置決め凸部１１３３及び位置決め凸部１１３４が設けられている。位置決め凸部１１３３及び位置決め凸部１１３４は、それぞれ排水槽１１３が部分的に内側に突出した部位である。位置決め凸部１１３４は、位置決め凸部１１３３よりもｚ方向上方に位置している。
【０１４６】
図４０（ａ），（ｂ）は、図３０及び図３１に示した通常の使用状態であり、排水手段６が排水槽１１３の最深部に収容されている。この際、排水容器６１の位置決め凹部６１１１に、排水槽１１３の位置決め凸部１１３３が嵌まり込んでいる。
【０１４７】
一方、図４０（ｃ）は、図３２及び図３３に示した排水状態を示しており、排水手段６が排水位置にある。この際、排水容器６１の位置決め凹部６１１１に、排水槽１１３の位置決め凸部１１３４が嵌まり込んでいる。
【０１４８】
このような実施形態によっても、より広い領域に向けて霧を拡散させることができる。また、排水手段６を排水位置に位置決めする位置決め手段としての位置決め凹部６１１１及び位置決め凸部１１３４を備えることにより、排水手段６を排水位置に確実に位置させることができる。また、位置決め凹部６１１１に位置決め凸部１１３４が嵌まり込むと、排水手段６が排水位置で保持される。このため、使用者が排水手段６から手を話した状態で排水を継続できるという利点がある。また、位置決め凸部１１３３を有する構成は、排水手段６を通常使用の位置に確実に位置させるのに好ましい。
【０１４９】
なお、排水手段６及び排水槽１１３（内部構造部１１、加湿器筐体１）のいずれの側に凸部又は凹部を設けるかは特に限定されない。また、凹部や凸部以外の従来公知の位置決め機構を適宜採用してもよい。また、位置決め凸部１１３３を有しない構成であってもよい。
【０１５０】
＜第３実施形態＞
図４１は、本発明の第３実施形態に係る加湿器の導出部５を示している。本実施形態の導出部５は、加湿器Ａ１におけるギヤ部５１４を有していない。このため、本実施形態の導出部５は、吹出口５１が送風部４の左右首振りに連動して左右首振りする構成ではない。
【０１５１】
本実施形態においては、導出部５は、吹出口５１と誘導部５２とが一体的に形成されている。また、導出部５は、水受け部５３を有する。導出部５は、吹出口５１に対してｙ方向前側に設けられたカップ状の部材である。
【０１５２】
本実施形態によっても、送風部４が左右首振りを行うことにより、より広い領域に霧を飛散させることができる。また、水受け部５３を有することにより、吹出口５１からの霧の放出に伴って吹出口５１に水滴が付着した場合に、この水滴を水受け部５３によって受けることが可能である。
【０１５３】
＜第４実施形態＞
図４２〜図５１は、本発明の第４実施形態に係る加湿器を示している。本実施形態の加湿器Ａ３は、後述するように、主に排水手段６の構成と、これに伴う内部構造部１１の構成とが、上述した加湿器Ａ１，Ａ２と異なっている。加湿器Ａ１，Ａ２と同様である構成要素は、適宜説明を省略するが、これらの構成要素は、加湿器Ａ１，Ａ２と同様の構成であってもよいし、合理的な組み合わせである範囲で異なる構成であってもよい。
【０１５４】
図４２は、加湿器Ａ３を示す分解斜視図である。図４３は、加湿器Ａ３の排水手段を示す分解斜視図である。図４４は、加湿器Ａ３の排水手段を示す斜視図である。図４５は、加湿器Ａ３の蓋部を示す斜視図である。図４６は、加湿器Ａ３の上蓋部を示す斜視図である。図４７は、加湿器Ａ３の排水手段を示す要部平面図である。図４８は、図４７のＸＬＶＩＩＩ−ＸＬＶＩＩＩ線に沿う要部拡大断面図である。図４９は、図４７のＸＬＩＸ−ＸＬＩＸ線に沿う要部拡大断面図である。図５０は、加湿器Ａ３の排水手段を示す、（ａ）は要部平面図であり、（ｂ）は要部拡大平面図である。図５１は、図５０（ｂ）のＬI−ＬI線に沿う断面図である。
【０１５５】
図４２〜図４５に示すように、本実施形態の排水手段６は、排水容器６１、蓋部６２及び上蓋部６４を有する。排水容器６１、蓋部６２及び上蓋部６４は、ｚ方向において互いに接近させて組み合わせることにより、排水手段６を構成する。
【０１５６】
図４３および図５０（ａ）に示すように、本実施形態の排水容器６１は、排水ガイド６１５及び注出部６１６を有する。なお、図５９（ａ）は、排水手段６から蓋部６２及び上蓋部６４を取り外した状態であり、後述する排水状態を示している。
【０１５７】
排水ガイド６１５は、側板部６１１のｚ方向上端付近からｘ方向一方側（給水パイプ１１５が存在する側）に延出している。排水ガイド６１５は、排水状態において排水容器６１に流入する水を導くための部位である。図示された例においては、排水ガイド６１５は、ｘ方向視においてコの字状の溝である。
【０１５８】
注出部６１６は、側板部６１１のｚ方向上端縁部からｘ方向他方側（排水ガイド６１５とは反対側）に膨出している。注出部６１６は、排水容器６１に排水された水を、使用者が廃棄する際に、スムーズに注出するための部位である。図５０（ａ）に示すように、注出部６１６は、ｚ方向視において側板部６１１の縁部がｘ方向に部分的に膨出した形状とされている。
【０１５９】
図４２〜図４５に示すように、本実施形態の蓋部６２は、給水槽６２６、給水路６２７及び給水ノズル６２８を有する。給水槽６２６は、給水部２から給水される水を受けるための槽である。給水槽６２６の形状や大きさは特に限定されず、図示された例においては、ｚ方向視において円形である。また、給水槽６２６は、排水手段６を内部構造部１１に装填した状態で、内部構造部１１の給水槽１１２に収容される形状及び大きさとされている。なお、本実施形態においては、給水部２から給水された水は、給水槽６２６によって受けられ、給水槽１１２には受けられない仕組みとなっている。また、本実施形態においては、上述した給水用凸部６２４が、給水槽６２６の略中央に設けられている。
【０１６０】
給水路６２７は、給水槽６２６に給水された水を、給水ノズル６２８へと導くための水路である。給水路６２７の形状や大きさは特に限定されず、給水槽６２６からの水を漏水等させることなく給水ノズル６２８に適切に導きうる構成であればよく、単体で気密性を担保しうる構成が好ましい。図示された例においては、給水路６２７は、断面コの字状の溝形状である。また、給水路６２７は、ｚ方向視において、把手部６２２を迂回するように屈曲した形状である。
【０１６１】
給水ノズル６２８は、給水路６２７によって導かれた水を、内部構造部１１の給水パイプ１１５に給水するための部位である。給水ノズル６２８は、給水路６２７の端部からｚ方向下方に延びており、図示された例においては、略円筒形状である。本実施形態では、給水ノズル６２８は、図４８に示すように、後述の内部構造部１１のノズル受け部１１０１に気密状態で取り付けられる構成であり、図示された例においては、Ｏリング６２８１が設けられている。Ｏリング６２８１は、給水ノズル６２８の先端付近に設けられた溝に装填されており、ゴム製のシール部材である。なお、給水槽６２６、給水路６２７及び給水ノズル６２８によって構成される給水経路は、これらによって気密性が保たれ漏水防止が図られる。このため、本実施形態の蓋部６２は、たとえば、排水容器６１との間で機密性を保つためのシール構造等は必須ではなく、上述した実施形態のパッキン６３は設けられていない。ただし、パッキン６３又はパッキン６３に相当するシール部材を適宜設けてもよい。
【０１６２】
図４２〜図４４及び図４６に示すように、上蓋部６４は、蓋部６２のｚ方向上側に取り付けられる部材である。上蓋部６４の材質は特に限定されず、例えば樹脂からなる。上蓋部６４は、たとえば加湿器Ａ３全体が転倒する事態となった際に、排水容器６１や蓋部６２の給水経路から水が勢いよく外部に漏れることを防止する役割を果たす。
【０１６３】
本実施形態においては、上蓋部６４は、天板部６４１および延出部６４２を有する。天板部６４１は、蓋部６２の天板部６２１及び把手部６２２と給水路６２７の一部とをｚ方向上方から覆う部位である。
【０１６４】
延出部６４２は、天板部６４１からｘ方向一方側（給水パイプ１１５が存在する側）に延出しており、ｚ方向視において蓋部６２の給水路６２７の端部（給水ノズル６２８が設けられた部位）と重なる位置に設けられている。延出部６４２の形状や大きさは特に限定されず、後述するように給水部２の重量を利用して蓋部６２の給水ノズル６２８と内部構造部１１のノズル受け部１１０１との気密性を高める構成であることが好ましい。なお、延出部６４２を省略し、蓋部６２が直接に給水部２に当接するように構成しても良い。
【０１６５】
図示された例においては、延出部６４２は、図４３及び図４６に示すように、リブ６４２１及びリブ６４２２を有する。リブ６４２１は、ｚ方向上方に突出しており、図示された例においては、ｘ方向に延びている。また、図示された例においては、ｙ方向に互いに離間した２つのリブ６４２１が設けられている。リブ６４２２は、ｚ方向下方に突出しており、図示された例においては、ｚ方向視においてコの字状である。また、図示された例においては、リブ６４２２の互いに対向する２辺が、ｚ方向視において２つのリブ６４２２と重なる配置とされている。なお、延出部６４２を省略した場合には、蓋部６２に上方突出状のリブを設けても良い。
【０１６６】
図４２、図４８及び図４９〜図５１に示すように、本実施形態の内部構造部１１は、上述の排水手段６の構成に対応して、ノズル受け部１１０１、連結部１１０２、ガイド受け部１１０３及びリブ１１０４を有する。
【０１６７】
ノズル受け部１１０１は、蓋部６２の給水ノズル６２８が挿入される部位である。ノズル受け部１１０１は、中板部１１１に対してｚ方向下方に設けられている。図示された例においては、ノズル受け部１１０１は、ｚ方向を軸線方向とする略円筒形状である。ノズル受け部１１０１は、給水パイプ１１５の端部に挿入されており、嵌合や接着等の固定手法によって適宜固定されている。
【０１６８】
連結部１１０２は、ノズル受け部１１０１とガイド受け部１１０３とを連結する部位である。図示された例においては、連結部１１０２は、ノズル受け部１１０１のｚ方向上端縁に繋がっている。言い換えると、連結部１１０２に設けられた円形の開口から、ｚ方向下方にノズル受け部１１０１が設けられている。
【０１６９】
ガイド受け部１１０３は、排水容器６１の排水ガイド６１５を受ける部位である。図示された例においては、ガイド受け部１１０３は、連結部１１０２に対してｚ方向における若干下方に位置するように、たとえば段差部分を介して連結部１１０２と繋がっている。図示された例においては、連結部１１０２とガイド受け部１１０３とのｚ方向におけるギャップは、排水ガイド６１５のｚ方向厚さと略同じとされている。これにより、ガイド受け部１１０３に排水ガイド６１５が受けられた状態においては、連結部１１０２のｚ方向上面と排水ガイド６１５のｚ方向上面とが、略面一となっている。
【０１７０】
図５０（ｂ）及び図５１に示すように、リブ１１０４は、連結部１１０２のうちｘ方向において排水ガイド６１５（ガイド受け部１１０３）と隣接する部分からｚ方向上方に延びた領域に形成されており、ｙ方向に向けて側方突出状である。図示された例においては、２つのリブ１１０４が、連結部１１０２を挟んでｙ方向両側に配置されている。また、２つのリブ１１０４には、排水ガイド６１５のｘ方向先端が隣接している。２つのリブ１１０４の間隔は、当該部分を流れる水の水路が部分的に狭幅（ｙ方向寸法が局所的に縮小）となるものであればよい。図示された例においては、２つのリブ１１０４の間隔は、排水ガイド６１５のｙ方向における内寸と略同じとされている。
【０１７１】
図４７〜図４９は、加湿器Ａ３の通常使用状態を示している。図４７は、理解の便宜上、給水部２を省略した要部平面図である。通常の使用状態において、給水部２が装填されると、図２３を参照して説明した通り、給水部２から水が給水される。本実施形態においては、給水用凸部６２４の当接によって給水部２から給水槽６２６へと給水される。図４７に示すように、給水槽６２６に給水された水は、給水槽６２６から給水路６２７に流れ込み、給水ノズル６２８へと導かれる。図４８および図４９に示すように、給水ノズル６２８は、内部構造部１１のノズル受け部１１０１に気密状態で挿入されている。このため、給水ノズル６２８からノズル受け部１１０１を介して給水パイプ１１５へと水が給水される。この後は、この水が、図２５を参照して説明した霧化部３へと導かれ、霧の発生に用いられる。
【０１７２】
図５０及び図５１は、加湿器Ａ３の排水状態を示している。図５０（ａ）は、給水部２と、上蓋部６４及び蓋部６２とが取り除かれることにより、排水状態とされた加湿器Ａ３を示す要部平面図であり、（ｂ）は、その要部拡大平面図であり、図５１は、要部拡大断面図である。図５１に示すように、排水状態においては、ノズル受け部１１０１に挿入されていた蓋部６２の給水ノズル６２８が取り除かれている。給水ノズル６２８をノズル受け部１１０１から取り外すと、たとえば、給水槽６２６や給水路６２７に滞留していた水が排水ガイド６１５（連結部１１０２）へと流入する。また、給水パイプ１１５や霧化部３に滞留していた水のうち、排水ガイド６１５（連結部１１０２）よりもｚ方向上方に位置する分量が、連結部１１０２に流入しうる。この流入した水は、連結部１１０２から排水ガイド６１５に沿って、排水容器６１へと流れていく。この際、図５０（ｂ）に示すように、２つのリブ１１０４の間を水が流れる。
【０１７３】
本実施形態によっても、上述の加湿器Ａ１，Ａ２と同様に、加湿器Ａ３を室内の隅部に置きつつ、室内の別の領域に霧を拡散させることが可能であり、例えば加湿器Ａ３を室内の中央に配置する必要がないという利点がある。また、送風部４の気流（スパイラル気流）によって室内空気を撹拌でき、室内空気の温度を均一化することで、室内全体に於ける飽和水蒸気量の差異を小さくすることができ、室内をムラなく加湿できるという効果をはじめ加湿器Ａ１，Ａ２と構成を共通する点については、同様の効果を奏しうる。
【０１７４】
また、本実施形態によれば、図４７に示すように、蓋部６２に給水槽６２６、給水路６２７及び給水ノズル６２８が設けられており、蓋部６２単体によって、給水経路が構成されている。これにより、当該給水経路は、蓋部６２によってより確実に気密性が確保されており、漏水が生じにくいという利点がある。特に、複数の部材からなる排水手段６の各部位の間に微小な隙間が生じたとしても、給水経路からの漏水を防止することができる。
【０１７５】
また、図５０及び図５１を参照して説明した通り、上蓋部６４及び蓋部６２を取り外すと、排水ガイド６１５（連結部１１０２）よりも高い位置にある水が、連結部１１０２および排水ガイド６１５を経由して排水容器６１内に流入する。これにより、使用者は、上蓋部６４及び蓋部６２を取り外す作業さえすれば、多量の水が滞留していない状態で加湿器Ａ３の各部の手入れをすることができる。
【０１７６】
図４８及び図４９に示すように、上蓋部６４の延出部６４２は、蓋部６２の給水ノズル６２８の直上に位置しており、給水ノズル６２８及び給水路６２７と給水部２との間に介在する構成となっている。これにより、加湿器Ａ３の使用に際して、給水部２を装填すると、給水部２の自重が延出部６４２を介して給水ノズル６２８へと伝達される。この結果、給水ノズル６２８がノズル受け部１１０１へとより強い力で挿入されることとなる。これは、給水ノズル６２８とノズル受け部１１０１との気密性を高めるのに好ましい。また、給水ノズル６２８にＯリング６２８１が取り付けられている構成であることから、給水部２の自重を利用して、気密性を確実に高めることができる。
【０１７７】
特に、図示された例においては、延出部６４２が、リブ６４２１およびリブ６４２２を有している。ｚ方向上方に突出するリブ６４２１を設けることにより、リブ６４２１と給水部２とをより確実に当接させることが可能である。また、ｚ方向下方に突出するリブ６４２２を設けることにより、リブ６４２２と給水路６２７（給水ノズル６２８の直上の部分）とをより確実に当接させることが可能である。これは、気密性の向上に好ましい。なお、延出部６４２は、リブ６４２１及びリブ６４２２の双方を有する構成に限定されず、リブ６４２１及びリブ６４２２の少なくともいずれか一方を有する構成であってもよい。
【０１７８】
図５０及び図５１に示すように、排水ガイド６１５がガイド受け部１１０３に受けられていることにより、連結部１１０２の上面と排水ガイド６１５の上面とが略面一となっている。これにより、排水状態において、連結部１１０２から排水ガイド６１５へと水が流れる際に、水流を不当に乱すことを抑制することが可能であり、スムーズな水流を実現することができる。また、部分的に間隔を狭めるように２つのリブ１１０４を設けることにより、２つのリブ１１０４の間において水流の流速を加速させることが可能である。これにより、連結部１１０２から排水ガイド６１５を経由する水を、より勢いよく排水容器６１へと流れ込ませることができる。
【０１７９】
図４２〜図４４から理解されるように、使用状態において給水部２を装填する際には、排水手段６の最上部に上蓋部６４が設置されている。これにより、仮に給水部２が傾いた状態で装填されかけた場合であっても、上蓋部６４に給水部２の下端部等が当接することにより、給水部２の傾きを是正することができる。したがって、給水部２の装填作業をより確実に且つより容易に行うことが可能であり、給水部２の装填が不適切な状態で加湿器Ａ３を使用することを抑制することができる。
【０１８０】
図４３及び図５０（ａ）に示すように、排水容器６１には、注出部６１６が設けられている。これにより、排水容器６１への排水が完了した後に、使用者が排水容器６１に溜まった水を廃棄する際に、注出部６１６を注ぎ口のように利用することができる。したがって、周囲に意図せず水が飛散することを抑制することが可能である。また、注出部６１６は、使用者が容易に目視によって認識しやすい部位に設けられている。このため、使用者が直感的に注出部６１６を用いて水の廃棄を行いやすいという利点がある。
【０１８１】
本発明に係る加湿器は、上述した実施形態に限定されるものではない。本発明に係る加湿器の各部の具体的な構成は、種々に設計変更自在である。例えば、送風部４の左右首振りの角度範囲を９０度に設定した場合においては、加湿器Ａ１を室内の隅部に置いても、室内を隅々まで加湿できる。
【０１８２】
〔付記１〕
水タンクを有する給水部と、
前記給水部から供給された水を霧化する霧化部と、
前記霧化部で発生した霧を放出させる吹出口、及び、前記霧化部から前記吹出口に前記霧を誘導する誘導部を有する導出部と、
前記吹出口に接近して設けた送風口を具備し当該送風口から気流を発生させる送風部と、を備え、
前記送風部は、左右首振り自在であることを特徴とする、加湿器。
〔付記２〕
前記導出部の前記吹出口から前記送風部に向けて霧が放出され、
前記吹出口の霧放出方向が、前記送風部の左右首振りに対応して左右に追従するように構成されている、付記１に記載の加湿器。
〔付記３〕
前記送風部は、前記送風口に複数のフィンが渦巻き状に設けられたグリルを有している、付記１又は２に記載の加湿器。
〔付記４〕
前記グリルは、内端部が外端部より送風方向に突出している、付記３に記載の加湿器。〔付記５〕
前記給水部と、前記霧化部と、前記導出部と、前記送風部とを、支持する加湿器筐体をさらに備え、
前記加湿器筐体の上面には凹窪部が設けられ、該凹窪部内に前記送風部の前記送風口が設けられている、付記１ないし４の何れか１項に記載の加湿器。
〔付記６〕
前記導出部は、その上端部が上方突出状に設けられ、前記送風部の前記送風口に隣接している、付記５に記載の加湿器。
〔付記７〕
前記加湿器筐体は、上面が前方下傾状に形成され、
前記送風部は、上下首振り自在に構成されている、付記５又は６に記載の加湿器。
〔付記８〕
前記給水部の前記水タンクは、前記加湿器筐体と連続な外面をなしている、付記５ないし７の何れか１項に記載の加湿器。
〔付記９〕
前記給水部から前記霧化部に供給される水を回収する排水手段を備えている、付記１ないし８の何れか１項に記載の加湿器。
〔付記１０〕
前記水タンクには、タンクキャップが取着され、
前記排水手段は、排水容器と、前記タンクキャップを開状態として水を落下させる給水用凸部と、を有する、付記９に記載の加湿器。
〔付記１１〕
前記排水手段は、上方に持ち上げることで前記排水容器に前記水を回収する排水位置に移動可能に構成され、
前記排水位置に前記排水手段を位置決めする排水位置決め手段を備えている、付記１０に記載の加湿器。
〔付記１２〕
前記排水手段は、前記排水位置で前記排水容器に水を回収するための第１排水口と、該排水容器に回収した水を排出させ、かつ、外部から前記排水容器に水を注入可能な第２排水口とを、有している、付記１１に記載の加湿器。
〔付記１３〕
前記排水手段は、パッキンを有し、
前記水タンクが前記排水手段に上方から荷重をかけることにより、パッキンが密閉状態をとるように構成されている、付記９ないし１２の何れか１項に記載の加湿器。
〔付記１４〕
前記霧化部は、着脱自在のカップを有している、付記１ないし１３の何れか１項に記載の加湿器。
〔付記１５〕
前記加湿器筐体は、前記送風部を内有する有底筒状の受け部材を備え、
前記受け部材の底部には、水抜き孔が設けられている、付記５ないし８の何れか１項に記載の加湿器。
〔付記１６〕
前記加湿器筐体は、周辺の雰囲気の湿度を検知する湿度センサーと、検知した湿度を数値で表示する湿度表示部と、を備えている、付記５ないし８の何れか１項に記載の加湿器。
〔付記１７〕
前記加湿器筐体は、周辺の雰囲気の温度及び湿度を検知する温湿度センサーと、検知した温度及び湿度に基づいて周辺環境の状態を表示する温湿度状態表示部と、を備え、
該温湿度状態表示部は、周辺環境の状態に対応して複数の色彩に発光する面発光部を有している、付記５ないし８の何れか１項に記載の加湿器。
〔付記１８〕
前記排水手段は、前記排水容器に取り付けられる蓋部を備えており、
前記蓋部は、前記給水用凸部が設けられた給水槽、当該給水槽に繋がる給水路及び当該給水路に繋がる給水ノズルを有する蓋部を含む、付記１０に記載の加湿器。
〔付記１９〕
前記排水手段は、前記給水部と前記蓋部との間に介在する上蓋部を備えており、
上蓋部は、前記給水ノズルの直上に位置し且つ前記給水部及び前記蓋部と当接する延出部を有する、付記１８に記載の加湿器。
〔付記２０〕
前記延出部は、前記給水部側及び前記蓋部側の少なくともいずれかに突出するリブを有する、付記１９に記載の加湿器。
〔付記２１〕
前記霧化部に水を導くための給水路の一部を構成する内部構造部をさらに備え、
前記排水容器は、上端部から延出する排水ガイドを有しており、
前記内部構造部は、前記排水ガイドと上面が互いに略面一となる状態で前記排水ガイドを受けるガイド受け部を有する、付記１８ないし２０のいずれか１項に記載の加湿器。
〔付記２２〕
前記内部構造部は、前記排水ガイドに隣接する位置に、側方突出状のリブを有する、付記２１に記載の加湿器。
〔付記２３〕
前記排水容器は、上端縁部から側方へ膨出する注出部を有する、付記２１または２２に記載の加湿器。
【符号の説明】
【０１８３】
Ａ１，Ａ２，Ａ３：加湿器
１        ：加湿器筐体
２        ：給水部
３        ：霧化部
４        ：送風部
５        ：導出部
６        ：排水手段
７        ：温湿度状態表示部
１１      ：内部構造部
１２      ：底部構造部
１３      ：受け部材
２１      ：水タンク
２２      ：タンクキャップ
２３      ：天蓋部
３１      ：気体供給部
３２      ：霧化槽
３３      ：超音波発振部
３４      ：カップ
３９      ：ヒータ
４１      ：送風口
４２      ：グリル
４３      ：上下首振りケース
４４      ：左右首振り側支持部
４５      ：固定側支持部
４６      ：ファン
５１      ：吹出口
５２      ：誘導部
５３      ：水受け部
６１      ：排水容器
６２      ：蓋部
６３      ：パッキン
６４      ：上蓋部
７１      ：面発光部
７２      ：数値表示部
８１      ：全体制御部
８３      ：操作制御部
８５      ：電源部
９１      ：操作部
１０１    ：上面
１０２    ：底面
１０３    ：前面
１０４    ：背面
１０５，１０６：側面
１０８    ：凹窪部
１１１    ：中板部
１１２    ：給水槽
１１３    ：排水槽
１１４    ：給水路
１１５    ：給水パイプ
１１６    ：環状突条
１１７    ：係止爪
１１８    ：トラップ流路下側部
１１９    ：挿通孔
１２１    ：全体制御部収容部
１２２    ：電源部収容部
１２３    ：通風口
１２４    ：溝部
１２５    ：排水孔
１３１    ：送風部収容部
１３２    ：側部
１３３    ：底部
１３４    ：操作制御部収容部
１１０１  ：ノズル受け部
１１０２  ：連結部
１１０３  ：ガイド受け部
１１０４  ：リブ
２１１    ：外面
２１２    ：底部
２１３    ：給排水口
２１４    ：嵌合突条
２２０    ：螺合筒部
２２１    ：延長筒部
２２２    ：底部
２２３    ：外筒部
２２４    ：内筒部
２２５    ：連結部
２２６    ：ばね
２２７    ：可動ロッド
２２８    ：開閉弁部
２３１    ：把手部
３１１    ：ファン
３１２    ：供給路
３１３    ：供給口
３１４    ：ケーシング部
３２１    ：水位検知部
４２１    ：フィン
４２２    ：内端部
４２３    ：外端部
４２４    ：係合部
４３１    ：上下首振り軸部
４３２    ：吸気口
４３３    ：ギヤ部
４４１    ：ベース部
４４２    ：支柱部
４４３    ：軸受孔部
４４４    ：左右首振りモータ
４４５    ：左右首振り軸部
４６１    ：送風モータ
５１１    ：筒部
５１２    ：方向規定部
５１３    ：延出片
５１４    ：ギヤ部
５２１    ：殻状蓋部
５２２    ：通風部
５２３    ：漏洩抑制突片
５２４    ：筒部
６１１    ：側板部
６１２    ：底部
６１３    ：係止突条
６１４    ：第１排水口
６１５    ：排水ガイド
６１６    ：注出部
６２１    ：天板部
６２２    ：把手部
６２３    ：延出部
６２４    ：給水用凸部
６２５    ：第２排水口
６２６    ：給水槽
６２７    ：給水路
６２８    ：給水ノズル
６２８１  ：Ｏリング
６４１    ：天板部
６４１１  ：開口部
６４２    ：延出部
６４２１，６４２２：リブ
８１１    ：制御基板
８１２    ：制御部品
８３１    ：操作基板
８３２    ：操作部品
８５１    ：電源基板
８５２    ：電源部品
８５２    ：電源部
１０４１  ：吸気口
１１３１  ：排水手段受け部
１１３２  ：排水凹部
１１３３，１１３４：位置決め凸部
１１９１  ：排水孔
１３３１  ：水抜き孔
１３３２  ：トラップ流路上側部
２２１１  ：凹部
３１１１  ：モータ
６１１１  ：位置決め凹部
６１３１  ：水平部
６１３２  ：垂下部
Ｏ４      ：送風方向
Ｏ４１，Ｏ４２：軸
Ｎ        ：霧放出方向
【図１】
2019190817.tif 000003
【図２】
2019190817.tif 000004
【図３】
2019190817.tif 000005
【図４】
2019190817.tif 000006
【図５】
2019190817.tif 000007
【図６】
2019190817.tif 000008
【図７】
2019190817.tif 000009
【図８】
2019190817.tif 000010
【図９】
2019190817.tif 000011
【図１０】
2019190817.tif 000012
【図１１】
2019190817.tif 000013
【図１２】
2019190817.tif 000014
【図１３】
2019190817.tif 000015
【図１４】
2019190817.tif 000016
【図１５】
2019190817.tif 000017
【図１６】
2019190817.tif 000018
【図１７】
2019190817.tif 000019
【図１８】
2019190817.tif 000020
【図１９】
2019190817.tif 000021
【図２０】
2019190817.tif 000022
【図２１】
2019190817.tif 000023
【図２２】
2019190817.tif 000024
【図２３】
2019190817.tif 000025
【図２４】
2019190817.tif 000026
【図２５】
2019190817.tif 000027
【図２６】
2019190817.tif 000028
【図２７】
2019190817.tif 000029
【図２８】
2019190817.tif 000030
【図２９】
2019190817.tif 000031
【図３０】
2019190817.tif 000032
【図３１】
2019190817.tif 000033
【図３２】
2019190817.tif 000034
【図３３】
2019190817.tif 000035
【図３４】
2019190817.tif 000036
【図３５】
2019190817.tif 000037
【図３６】
2019190817.tif 000038
【図３７】
2019190817.tif 000039
【図３８】
2019190817.tif 000040
【図３９】
2019190817.tif 000041
【図４０】
2019190817.tif 000042
【図４１】
2019190817.tif 000043
【図４２】
2019190817.tif 000044
【図４３】
2019190817.tif 000045
【図４４】
2019190817.tif 000046
【図４５】
2019190817.tif 000047
【図４６】
2019190817.tif 000048
【図４７】
2019190817.tif 000049
【図４８】
2019190817.tif 000050
【図４９】
2019190817.tif 000051
【図５０】
2019190817.tif 000052
【図５１】
2019190817.tif 000053